(57)【要約】【課題】適応等化器において、トレーニング信号を用いないで引込時間を短くする。【解決手段】キャリア再生回路（ＣＲ）１２と判定帰還型等化器（ＤＦＥ）１６とを組み合わせた適応等化器で引込を行う際、引込開始時ステップでは、キャリアの位相回転に影響しないＣＭＡアルゴリズム（Godard）でＤＦＥのタップ係数を更新させ、それと同時にキャリア再生回路の判定範囲を限定した位相誤差検出を用いてキャリア再生を開始する。キャリア再生が収束し、かつ等化誤差電力が十分小さくなった後、引込終了時ステップでは、判定範囲を限定しない位相誤差検出のキャリア再生に替えかつＤＦＥタップ更新をＣＭＡから判定指向（LMS）で行うアルゴリズムに切り替える。【選択図】図３
2006074314.tif 000002
【特許請求の範囲】
【請求項１】
複素入力信号とキャリア再生信号とを乗算する乗算器と、前記乗算器の出力が供給され等化出力信号と判定出力信号を得る判定帰還型等化器と、前記等化出力信号と前記判定出力信号が供給され前記キャリア再生信号を出力するキャリア再生回路とを備えるブラインド適応等化器における引込方法において、
前記判定帰還型等化器のタップ係数を、前記キャリアの位相回転に影響しないＣＭＡアルゴリズムで更新させるとともに、前記キャリア再生回路のキャリア再生を、判定範囲を限定した位相誤差検出を用いて開始する引込開始時ステップと、
前記判定帰還型等化器における等化誤差信号が小さくなり、かつ前記キャリア再生回路でのキャリア再生が収束した後、前記判定帰還型等化器のタップ係数を、判定指向アルゴリズムで更新させるように切り替えるとともに、前記キャリア再生回路のキャリア再生を、判定範囲を限定しない位相誤差検出を用いて行うように切り替える引込終了時ステップと
を有することを特徴とするブラインド適応等化器における引込方法。
【請求項２】
請求項１記載の引込方法において、
前記引込開始時ステップにおける前記キャリア再生回路の判定範囲を限定した位相誤差検出は、多値ＱＡＭ変調方式において、ＩＱ座標上の原点から見て最外郭の４個のシンボルのみ又はこの４個のシンボルを含む近傍のシンボルを検出する領域内に判定範囲を限定して行う
ことを特徴とするブラインド適応等化器における引込方法。
【請求項３】
複素入力信号とキャリア再生信号とを乗算する乗算器と、前記乗算器の出力が供給され等化出力信号と判定出力信号を得る判定帰還型等化器と、前記等化出力信号と前記判定出力信号が供給され前記キャリア再生信号を出力するキャリア再生回路とを備えるブラインド適応等化器において、
前記判定帰還型等化器は、ＣＭＡアルゴリズムでタップ係数を更新するタップ第１更新器と、判定指向アルゴリズムでタップ係数を更新するタップ第２更新器とを有し、
前記キャリア再生回路は、判定範囲を限定してキャリア再生を行う第１位相誤差検出器と、判定範囲を限定しない全範囲でキャリア再生を行う第２位相誤差検出器とを有し、
引込開始時には、前記タップ第１更新器と前記第１位相誤差検出器を用いてキャリアを再生し、引込終了時には、前記タップ第２更新器と前記第２位相誤差検出器を用いてキャリアの再生を行う
ことを特徴とするブラインド適応等化器。
【請求項４】
請求項３記載のブラインド適応等化器において、
前記第１位相誤差検出器は、多値ＱＡＭ変調方式において、ＩＱ座標上の原点から見て最外郭の４個のシンボルのみ又はこの４個のシンボルを含む近傍のシンボルを検出する領域内に判定範囲を限定して位相誤差の検出を行う
ことを特徴とするブラインド適応等化器。
【発明の詳細な説明】
【技術分野】
【０００１】
この発明は、デジタル通信分野の復調器に適用される適応等化器に関し、特にトレーニング信号（参照信号）を必要としないブラインド適応等化器における引込方法及びブラインド適応等化器に関する。
【背景技術】
【０００２】
デジタル通信分野において、劣化した受信信号から、元の送信信号を復元する際に適応等化器が使用される。この適応等化器は、従来、キャリア再生回路と判定帰還型等化器の直列回路構成とされ、前記の判定帰還型等化器ではトレーニング信号が用いられている（非特許文献１参照）。
【０００３】
【非特許文献１】「７ＧＨｚ帯ディジタルＦＰＵに望まれる性能とＱＡＭ方式ＦＰＵの波形等化方式の検討」映像情報メディア学会誌  Ｖｏｌ．５１，Ｎｏ．９，ｐｐ．１５５０〜１５５９（１９９７）（図６、図７）
【発明の開示】
【発明が解決しようとする課題】
【０００４】
しかしながら、上記従来技術に係る適応等化器においては、トレーニング信号を必要とするため、通信の中断や冗長なトレーニング信号が必要であり、引込に時間がかかり、かつ構成が複雑であるという問題がある。
【０００５】
この発明はこのような課題を考慮してなされたものであり、引込が容易でかつ構成が簡単なブラインド適応等化器における引込方法及びブラインド適応等化器を提供することを目的とする。
【課題を解決するための手段】
【０００６】
この発明のブラインド適応等化器における引込方法は、複素入力信号とキャリア再生信号とを乗算する乗算器と、前記乗算器の出力が供給され等化出力信号と判定出力信号を得る判定帰還型等化器と、前記等化出力信号と前記判定出力信号が供給され前記キャリア再生信号を出力するキャリア再生回路とを備えるブラインド適応等化器における引込方法において、前記判定帰還型等化器のタップ係数を、前記キャリアの位相回転に影響しないＣＭＡアルゴリズムで更新させるとともに、前記キャリア再生回路のキャリア再生を、判定範囲を限定した位相誤差検出を用いて開始する引込開始時ステップと、前記判定帰還型等化器における等化誤差信号が小さくなり、かつ前記キャリア再生回路でのキャリア再生が収束した後、前記判定帰還型等化器のタップ係数を、判定指向アルゴリズムで更新させるように切り替えるとともに、前記キャリア再生回路のキャリア再生を、判定範囲を限定しない位相誤差検出を用いて行うように切り替える引込終了時ステップとを有することを特徴とする。
【０００７】
この発明によれば、引込開始時ステップにおいて、判定帰還型等化器のタップ係数を、キャリアの位相回転に影響しないＣＭＡ（Constant Modulus Algorithm）アルゴリズムで更新させるとともに、キャリア再生回路の判定範囲を限定した位相誤差検出を用いてキャリア再生を開始し、判定帰還型等化器における等化誤差信号が小さくなり、かつキャリア再生回路でのキャリア再生が収束した後、引込終了時ステップにおいて、判定帰還型等化器のタップ係数の更新を判定指向アルゴリズムに切り替えるとともに、キャリア再生回路のキャリア再生を、判定範囲を限定しない位相誤差検出を用いるキャリア再生に切り替えるようにしている。
【０００８】
このように構成することにより、トレーニング信号が不要となり、かつ実際上、劣悪なフェージング環境下でも引込が容易になる。結果として、引込時間を短縮できる。
【０００９】
ここで、ＣＭＡアルゴリズムとしては、ゴダード(Godard)アルゴリズムを採用することが可能であり、判定指向アルゴリズムとしては、ＬＭＳ(Least Mean Square)アルゴリズムやＲＬＳ(Recursive Least Square)アルゴリズムを採用することができる。
【００１０】
なお、引込開始時ステップにおける前記キャリア再生回路の判定範囲を限定した位相誤差検出は、多値ＱＡＭ(Quadrature Amplitude Modulation：１６ＱＡＭ、６４ＱＡＭ、２５６ＱＡＭ、１０２４ＱＡＭ、…)変調方式において、ＩＱ座標上の原点から見て最外郭の４個のシンボルのみ又はこの４個のシンボルを含む近傍のシンボル、例えば１２（３×４）個のシンボル、あるいは２４（６×４）個のシンボル等を検出する領域内に判定範囲を限定して行うようにすることで、引込開始時におけるシンボルの引込範囲を広げることができる。
【００１１】
この場合、最外郭の４個のシンボルあるいはこの４個のシンボルを含む近傍のシンボルが、判定範囲にあるかどうかを簡単に見分けるために、キャリア再生回路への入力信号（受信信号）である等化出力信号のＩ、Ｑ値の絶対値を採って第１象限に集め、さらにπ／４だけ負方向に回転させ、Ｉ軸上に重なるあるいはＩ軸上及びその近傍にくるようにする（実際には、Ｉ軸近傍にばらつくことになる）。そして、判定範囲を、このＩ軸に重ねたシンボル点あるいはこのシンボル点と近傍のシンボル点を含む長方形の範囲とする。この長方形の範囲内にシンボルがあるかどうかを判定することで、ソフトウエア及びハードウエアの構成が簡単になる。
【００１２】
また、この発明に係るブラインド適応等化器は、複素入力信号とキャリア再生信号とを乗算する乗算器と、前記乗算器の出力が供給され等化出力信号と判定出力信号を得る判定帰還型等化器と、前記等化出力信号と前記判定出力信号が供給され前記キャリア再生信号を出力するキャリア再生回路とを備えるブラインド適応等化器において、前記判定帰還型等化器は、ＣＭＡアルゴリズムでタップ係数を更新するタップ第１更新器と、判定指向アルゴリズムでタップ係数を更新するタップ第２更新器とを有し、前記キャリア再生回路は、判定範囲を限定してキャリア再生を行う第１位相誤差検出器と、判定範囲を限定しない全範囲でキャリア再生を行う第２位相誤差検出器とを有し、引込開始時には、前記タップ第１更新器と前記第１位相誤差検出器を用いてキャリアを再生し、引込終了時には、前記タップ第２更新器と前記第２位相誤差検出器を用いてキャリアの再生を行うことを特徴とする。
【００１３】
この構成により、トレーニング信号が不要であり、かつ引込時間を短くすることができる。
【００１４】
この場合においても、第１位相誤差検出器は、多値ＱＡＭ変調方式において、ＩＱ座標上の原点から見て最外郭の４個のシンボルのみ又はこの４個のシンボルを含む近傍のシンボルを検出する領域内に判定範囲を限定して位相誤差の検出を行うように構成することが好ましい。
【発明の効果】
【００１５】
この発明によれば、トレーニング信号を用いないブラインド適応等化器における引込時において、まず、キャリア再生回路の判定範囲を限定しかつＣＭＡアルゴリズムを採用した引込開始時処理を行い、終了時には、キャリア再生回路の判定範囲を全範囲としかつ判定指向アルゴリズムを採用した引込終了時処理を行うように工夫したので引込時間を短縮することができる。また、ブラインド適応等化器の構成を簡単にできる。
【発明を実施するための最良の形態】
【００１６】
以下、この発明の実施形態について図面を参照して説明する。
【００１７】
図１は、この発明の一実施形態に係るブラインド適応等化器における引込方法が実施されるブラインド適応等化器１０の構成を示している。
【００１８】
このブラインド適応等化器１０は、基本的には、キャリアを再生するキャリア再生回路（Carrier Recovery Circuit）１２と、キャリア再生回路１２で再生されたキャリア再生信号ｅｘｐ（ｊθｎ）の共役信号ｅｘｐ（−ｊθｎ）と複素入力信号ｒ（ｎ）＝Ｉ＋ｊＱとを乗算する乗算器１４と、乗算器１４の出力｛ｒ（ｎ）×ｅｘｐ（−ｊθｎ）｝＝ｕ’（ｎ）が入力信号ｕ’（ｎ）として供給され等化出力信号ｙ（ｎ）＝ｙｉ＋ｊｙｑと判定出力信号ｙ＾（ｎ）＝Ｉ＾＋ｊＱ＾とを生成する判定帰還型等化器（Decision Feedback Equalizer）１６とを備える。
【００１９】
ここで、変数ｎは、サンプル時間であり、この実施形態では、Ｔｓ／２に採っている。また、θｎは、ｎ時刻のキャリア再生位相である。ｊは、虚数単位である。さらに、ＩはＩ座標値を意味し、ＱはＱ座標値を意味する。さらに「＾」は、判定出力を意味する。
【００２０】
ここで、キャリア再生回路１２は、等化出力信号ｙ（ｎ）から判定範囲を限定して位相誤差を検出する第１位相誤差検出器（Phase Detector）２１と、等化出力信号ｙ（ｎ）又は判定出力信号ｙ＾（ｎ）とから判定範囲を限定しない全範囲で位相誤差を検出する第２位相誤差検出器２２と、第１位相誤差検出器２１と第２位相誤差検出器２２の出力を切り替えるスイッチ（切替器）２４と、第１及び第２位相誤差検出器２１、２２から出力された位相誤差をフィルタして低域信号化するループフィルタ２６と、ループフィルタ２６の出力値に応じた周波数のキャリア再生信号ｅｘｐ（ｊθｎ）を出力する数値制御発振器（Numerical Controlled Oscillator）２８とから構成される。
【００２１】
ここで、第１位相誤差検出器２１は、検出したシンボルのキャリア位相誤差の判定範囲を、図２に示すように、例えば６４ＱＡＭ方式において、ＩＱ座標上の原点から見て最外郭の４個のシンボル（最大振幅のシンボル）７９のみを検出するリング状の枠領域６６内に限定して、位相誤差検出を行うように構成している。
【００２２】
第２位相誤差検出器２２は、６４個全てのシンボルを対象としてキャリア位相誤差を検出する構成となっている。
【００２３】
一方、判定帰還型等化器１６は、複数（この実施形態では４個）の１／２シンボル時間（Ｔｓ／２）の遅延器５２と、対応する数（この実施形態では５個）のタップ係数器５４と、各タップ係数器５４の出力を加算する加算器３３からなるフィードフォワードフィルタ（Feed Forward Filter）３０と、複数（この実施形態では２個）の１シンボル時間（Ｔｓ）の遅延器５６と、対応する数（この実施形態では２個）のタップ係数器５８と、各タップ係数器５８の出力を加算する加算器３４からなるフィードバックフィルタ（Feed Back Filter）３２と、フィードフォワードフィルタ３０とフィードバックフィルタ３２の出力を加算して等化出力信号ｙ（ｎ）を出力する加算器３５とを有する。
【００２４】
判定帰還型等化器１６は、さらに、等化出力信号ｙ（ｎ）＝ｙｉ＋ｊｙｑが供給されて、シンボル位置を判定し、判定後のシンボル位置を表す判定出力信号ｙ＾（ｎ）＝Ｉ＾＋ｊＱ＾を出力する判定器３６を有し、さらにまた、等化出力信号ｙ（ｎ）に基づきタップ係数器５４、５８のタップ係数を更新するタップ第１更新器４１と、等化出力信号ｙ（ｎ）又は判定出力信号ｙ＾（ｎ）に基づきタップ係数器５４、５８のタップ係数を更新するタップ第２更新器４２と、タップ第１更新器４１とタップ第２更新器４２とを切り替えるスイッチ（切替器）４４からなるタップ更新器３８を備える。
【００２５】
ここで、タップ第１更新器４１は、キャリアの位相回転に影響しない、例えばゴダード（Godard）アルゴリズム等のＣＭＡアルゴリズムでタップ係数を更新させるように構成され、タップ第２更新器４２は、タップ係数をＬＭＳアルゴリズムやＲＬＳアルゴリズム等の判定指向アルゴリズムで更新させるように構成される。
【００２６】
例えば、ゴダードアルゴリズムによるタップ係数更新式は、公知のように、次の（１）式で与えられ、ＬＭＳアルゴリズムによるタップ係数更新式は、公知のように、次の（２）式で与えられる。
【００２７】
すなわち、（１）式において、今回のタップ係数ｗ（ｎ＋１）は、前回のタップ係数ｗ（ｎ）に、入力信号ｕ（ｎ）と等化出力信号ｙ（ｎ）に関する等化誤差信号ｅ（ｎ）の共役を乗算した項を加えたもので与えられる。（２）式において、今回のタップ係数ｗ（ｎ＋１）は、前回のタップ係数ｗ（ｎ）に、入力信号ｕ（ｎ）と等化出力信号ｙ（ｎ）及び判定出力信号ｙ＾（ｎ）に関する等化誤差信号ｅ（ｎ）の共役を乗算した項を加えたもので与えられる。
【００２８】
ｗ（ｎ＋１）＝ｗ（ｎ）＋μ１ｕ（ｎ）ｅ*（ｎ），ｅ（ｎ）＝ｙ（ｎ）（Ｒ２−|ｙ（ｎ）|2）                                              …（１）
ｗ（ｎ＋１）＝ｗ（ｎ）＋μ２ｕ（ｎ）ｅ*（ｎ），ｅ（ｎ）＝ｙ＾（ｎ）−ｙ（ｎ）                                                       …（２）
ｗ（ｎ＋１），ｗ（ｎ）：タップ係数（ベクトル）
ｕ（ｎ）：入力信号（ベクトル）
ｅ（ｎ）：誤差信号
ｅ*（ｎ）：共役誤差信号。「*」は、共役を表す。
ｙ（ｎ）：等化出力信号｛ｙ（ｎ）＝ｗ*（ｎ）ｕ（ｎ）＝ｙｉ＋ｊｙｑ｝
ｙ＾（ｎ）：判定出力信号
Ｒ２：定数
μ１，μ２：ステップサイズ
【００２９】
さらに、ブラインド適応等化器１０は、キャリア再生回路１２及び判定帰還型等化器１６に対して信号の送受を行い、かつ必要な計算を行って、スイッチ２４、４４を切り替える等の制御を全体的に行う制御ユニット６０を備える。
【００３０】
図１に示したブラインド適応等化器１０は、例えば、無線受信機において、低雑音増幅器、ＢＰＦ（Band Pass Filter）、ダウンコンバータ、直交検波器を通じて得られたアナログ信号のＩ、Ｑ信号をそれぞれＡ／Ｄ変換器でデジタル信号とした複素入力信号ｒ（ｎ）＝Ｉ＋ｊＱを処理するデジタル信号処理器（Digital Signal Processor）である。
【００３１】
次に、上述の実施形態の動作について、図３に示す動作フローに基づき説明する。
【００３２】
まず、制御ユニット６０は、引込モード中の時点ｔ０（復調開始時点）以降の引込開始時ステップにおいて、判定帰還型等化器１６のスイッチ４４をタップ第１更新器４１側に接続し、判定帰還型等化器１６のタップ係数を、キャリアの位相回転に影響しないＣＭＡアルゴリズムで更新させるとともに、キャリア再生回路１２のスイッチ２４を第１位相誤差検出器２１側に接続し、キャリア再生回路１２の判定範囲を限定した位相誤差検出を用いてキャリア再生を開始する。
【００３３】
このとき、タップ係数の初期値は、例えばフィードフォワードフィルタ３０のタップ係数Ｆ０を「１」にし、その他のフィードフォワードフィルタ３０のタップ係数器５４のタップ係数及びフィードバックフィルタ３２のタップ係数器５８のタップ係数を全て「０」とする。
【００３４】
ＣＭＡアルゴリズムでは、公知である導出原理から分かるように、入力信号ｕ（ｎ）の振幅情報のみを評価対象としているため、位相変動、例えばキャリア周波数オフセットの有無に影響しない。このため、受信開始初期のような、判定帰還型等化器１６の入力信号ｕ（ｎ）に送受間の周波数オフセットが含まれたままの入力信号ｕ（ｎ）であっても、タップ係数が更新され、等化出力信号ｙ（ｎ）のアイパターンが開いていく。
【００３５】
図４は、値を０〜１の範囲に正規化したＤＦＥ平均等化誤差電力Ｐｅ（Ｐｅは、判定器３６の入出力の絶対値の２乗、すなわち|ｙ＾（ｎ）−ｙ（ｎ）|2の平均値あるいは移動平均値である。）の時間的な変化を示している。
【００３６】
図５は、ループフィルタ２６から得られるキャリア周波数誤差ｆｅ[Ｈｚ]の時間的な変化を示している。
【００３７】
図５から分かるように、引込開始時の時点ｔ０以降には、アイパターンがある程度開いていくので、キャリア再生回路１２の第１位相誤差検出器２１が正常な動作を行うようになり、周波数オフセットの補償がなされ、周波数オフセットが減少していき、キャリア周波数誤差ｆｅが減少する。
【００３８】
図６は、第１位相誤差検出器２１の動作手順を示す説明図である。この第１位相誤差検出器２１では、６４ＱＡＭ多値変調の最外郭のシンボル（４点のアウターシンボル）７９のみを位相誤差検出に用いる。図６では、第１象限のみを示しているが、シンボル毎に、受信点がこの判定範囲７０にあるかどうかを確認し、判定範囲７０内にあれば、理想点（最外郭の４点のこと）からの位相誤差を算出し、算出した位相誤差をループフィルタ２６に供給する。
【００３９】
判定範囲７０は、本来の判定範囲であるが、受信信号である等化出力信号ｙ（ｎ）＝ｙｉ＋ｊｙｑがこの判定範囲７０に入っているかどうかを見分けるためのソフトウエアやハードウエアが複雑であるので、この実施形態では、新しい判定範囲７２を用いて位相誤差検出を行うことにしている。
【００４０】
図７をも参照して新しく設定した判定範囲７２を説明する。
【００４１】
新しい判定範囲７２を用いるために、第１に、受信点である等化出力信号ｙ（ｎ）において、Ｉ成分＝ｙｉ、Ｑ成分＝ｙｑの絶対値|ｙｉ|、|ｙｑ|を採り、第１象限に集める。
【００４２】
第２に、第１象限に集めた最外郭のシンボル７９からなる受信点である等化出力信号ｙ（ｎ）にｅｘｐ（−ｊπ／４）をかけて４５゜右回転させ、第１象限に集めた最外郭のシンボル７９からなる受信点をＩ軸に集める。この値を、等化出力信号ｙ’（ｎ）＝ｙ’ｉ＋ｊｙ’ｑとする。
【００４３】
第３に、受信点である等化出力信号ｙ’（ｎ）＝ｙ’ｉ＋ｊｙ’ｑが、長方形の判定範囲７２内にあるかどうかを確認する。長方形の判定範囲７２は、調整可能にしておく。すなわち、判定範囲７２は、等化出力判定振幅中央値と、等化出力判定振幅範囲半値と、等化出力判定位相範囲半値を制御ユニット６０により設定することで決定される。
【００４４】
第４に、受信点である等化出力信号ｙ’（ｎ）＝ｙ’ｉ＋ｊｙ’ｑが、長方形の判定範囲７２内にある場合には、基準シンボル点Ｒｓと受信信号である等化出力信号ｙ’（ｎ）＝ｙ’ｉ＋ｊｙ’ｑの位相誤差である−ｓｉｇｎ（ｙｑ）・ｙｉ＋ｓｉｇｎ（ｙｉ）・ｙｑをループフィルタ２６に供給する。判定範囲７２内にない場合には、前回の位相誤差をループフィルタ２６に供給する。この位相誤差の検出は、キャリアの振幅（シンボル点の振幅）が大きいのでフェージングによる誤差の影響を受けにくい。なお、符号関数ｓｉｇｎ（Ｘ）は、Ｘが正のとき、＋１、Ｘが負のときに−１を採る関数である。
【００４５】
このような引込開始時ｔ０の設定での動作中に、すなわち、キャリア再生回路１２の判定範囲を最外郭の４個のシンボル７９に限定しかつＣＭＡアルゴリズムによるタップ第１更新器４１を採用した引込開始時ステップでの動作中に、図４に示すＤＦＥ平均等化誤差電力Ｐｅの値が、所定の閾値以下となったとき、あるいは時点ｔ０から予め定めた時間経過後に、この実施形態では、引込モード中の時点ｔ１において、スイッチ４４をタップ第２更新器４２側に切り替え、判定帰還型等化器１６のタップ係数の更新をＬＭＳアルゴリズムに切り替える。ＬＭＳアルゴリズムに切り替えることで、タップ係数がより正確に収束する。
【００４６】
次いで、この引込モード中の時点ｔ２において、換言すれば、周波数オフセットの補償後の残留成分であるキャリア周波数誤差ｆｅがほとんどなくなった時点ｔ２（図５参照）において、スイッチ２４を第１位相誤差検出器２１側から第２位相誤差検出器２２側に切り替え、判定範囲を全範囲とし全シンボルの位相誤差を検出してキャリア再生を行う。このとき、タップ更新器３８は、スイッチ４４によりＬＭＳアルゴリズムでタップ更新を行うタップ第２更新器４２側に切り替わっているので、等化誤差電力はさらに小さくなり、誤判定の頻度も少なくなっている。
【００４７】
この時点ｔ２以降では、判定帰還型等化器１６における等化誤差信号が小さくなり、かつキャリア再生回路１２でのキャリア再生が収束しているので、判定帰還型等化器１６のタップ係数を、タップ第２更新器４２よるＬＭＳアルゴリズムで更新し、かつキャリア再生回路１２のキャリア再生を、判定範囲を限定しない全範囲での位相誤差検出を用いて行う引込終了時ステップで動作させている。
【００４８】
次いで、図３に示すように、時点ｔ２から所定時間経過後の時点ｔ３、あるいはＤＦＥ平均等化誤差電力Ｐｅが所定の閾値以下となったときの時点ｔ３において復調データを有効と判定して引込モードを終了し、引込終了時ステップでの動作形態のまま、すなわち第２位相誤差検出器２２を用いたキャリア再生及びタップ第２更新器４２を用いた動作形態のまま、受信信号である複素入力信号ｒ（ｎ）の判定出力信号ｙ＾（ｎ）によるデータ再生を行うトラッキングモードに入る。
【００４９】
以上のように、上述した実施形態においては、図３に示すように、引込モードにおいて引込開始時ステップと引込終了時ステップを有するように構成することにより、トレーニング信号（参照信号）が不要となり、かつ実際上、劣悪なフェージング環境下でも引込が容易になるブラインド適応等化器１０を実現できる。結果として、引込時間（引込モードの継続時間：ｔ３−ｔ０）を短縮することができる。
【００５０】
なお、引込開始時ステップと引込終了時ステップとの間の時点ｔ１及び時点ｔ２におけるスイッチ４４、２４の切り替えはどちらを先に切り替えてもよく、同時に切り替えてもよい。実際の設置時において、その設置地点あるいは受信時刻のフェージング環境下で引込モードの引込時間が短くなるように切替順序を選択することができる。
【００５１】
なお、この発明は、上述した実施形態に限らず、例えば、判定帰還型等化器１６を線形等化器に変更する、あるいは第１位相誤差検出器２１では、６４ＱＡＭ多値変調の最外郭のシンボル（４点のアウターシンボル）７９とその近傍の内側のシンボル８０、８１（図６参照、計８点のシンボル）を位相誤差検出に用いる等、この明細書の記載内容に基づき、種々の構成を採り得ることはもちろんである。
【００５２】
なお、第１位相誤差検出器２１において、外郭の３点のシンボル７９〜８１、合計１２個のシンボルを用いた場合には、判定範囲７２を広げることになるのでシンボルを検出できる確率が高くなり収束時間がより短くなる可能性があるが、同時に誤差が大きくなることにより収束時間が長くなる場合があり、これら２つのトレードオフにより決定することになる。したがって、図示はしないが、外郭の６点のシンボル、合計２４個のシンボルを用いることもできる。
【図面の簡単な説明】
【００５３】
【図１】一実施形態に係るブラインド適応等化器の構成図である。
【図２】引込開始時ステップにおける判定範囲の説明図である。
【図３】一実施形態の動作フロー図である。
【図４】ＤＦＥ平均等化誤差電力の説明図である。
【図５】キャリア周波数誤差の説明図である。
【図６】最外郭のシンボルのみを使用した位相誤差検出の説明図である。
【図７】最外郭のシンボルのみを使用した位相誤差検出の他の説明図である。
【符号の説明】
【００５４】
１０…ブラインド適応等化器            １２…キャリア再生回路
１４…乗算器                          １６…判定帰還型等化器（ＤＦＥ）
２１…第１位相誤差検出器              ２２…第２位相誤差検出器
２４、４４…スイッチ                  ３０…フィードフォワードフィルタ
３２…フィードバックフィルタ          ４１…タップ第１更新器
４２…タップ第２更新器                ７９、８０、８１…シンボル
【図１】
2006074314.tif 000003
【図２】
2006074314.tif 000004
【図３】
2006074314.tif 000005
【図４】
2006074314.tif 000006
【図５】
2006074314.tif 000007
【図６】
2006074314.tif 000008
【図７】
2006074314.tif 000009